(57)【要約】【課題】サービスを長時間継続して利用する利用客に対して、その利用客に広告コンテンツを見飽きさせない態様にて提示する。【解決手段】広告再生装置１には、複数の広告コンテンツと広告属性とが対応付けられて記憶されている。広告再生装置１は、カラオケ装置２のログインユーザに関するユーザ属性を取得する。そして、広告属性とユーザ属性との適合に基づき、再生対象の広告コンテンツを示す第１再生リストを作成する。広告再生装置１は、まず、第１再生リストに従って広告コンテンツを再生する。また、第１再生リストの作成に係る広告属性及びユーザ属性とは異なる第２属性に基づいて、再生対象の広告コンテンツを示す第２再生リストを作成する。そして、ログインユーザによるカラオケ装置２の利用が継続している条件下において、所定期間が経過した判断と判断したとき、第１再生リストに代えて第２再生リストに従って広告コンテンツを再生する。【選択図】  図１
2014191191.tif 000002
【特許請求の範囲】
【請求項１】
複数の広告コンテンツと、前記広告コンテンツに関する属性を示す広告属性とを対応付けて記憶する記憶手段と、
所定のサービスにログインするログインユーザの属性を示すユーザ属性を取得する取得手段と、
前記記憶手段に記憶されている広告属性と、前記取得手段により取得されたユーザ属性とが適合することを条件に、前記記憶手段に記憶されている広告コンテンツの中から、前記取得されたユーザ属性と適合する前記広告属性と対応付けられた広告コンテンツを抽出して、再生対象となる広告コンテンツを示す第１再生リストを作成する第１作成手段と、  前記第１作成手段により作成された第１再生リストに従って、再生対象の広告コンテンツの再生を行う再生手段と、
前記ログインユーザのログイン状態が継続しているかを判断する継続判断手段と、
前記継続判断手段により前記ログインユーザのログイン状態が継続していると判断されているときに、所定期間が経過したかを判断する経過判断手段と、
前記記憶手段に記憶されている広告コンテンツの中から、前記第１再生リストの作成に係る広告属性及びユーザ属性とは異なる第２属性に適合する広告コンテンツを抽出して、再生対象となる広告コンテンツを示す第２再生リストを作成する第２作成手段と、
を備え、
前記経過判断手段により、前記ログインユーザのログイン状態が継続しているときに前記所定期間が経過したと判断されたとき、前記再生手段は、前記第１再生リストに代えて前記第２作成手段により作成された第２再生リストに従って再生対象の広告コンテンツを再生すること、
を特徴とする広告再生装置。
【請求項２】
請求項１に記載の広告再生装置において、
前記所定のサービスとは、カラオケ装置を利用するカラオケサービスであり、
前記第１再生リストの作成に係るユーザ属性に該当するログインユーザが、利用するカラオケ装置に対して演奏のリクエストをした楽曲に関するユーザ属性を、前記第２属性として取得する第２取得手段を更に備え、
前記第２作成手段は、前記第２取得手段により取得された楽曲に関するユーザ属性と、前記記憶手段に記憶されている広告属性とが適合することを条件に、前記記憶手段に記憶されている広告コンテンツの中から、前記取得されたユーザ属性と適合する前記広告属性と対応付けられた広告コンテンツを抽出して、前記第２再生リストを作成すること、
を特徴とする広告再生装置。
【請求項３】
請求項２に記載の広告再生装置において、
前記第２取得手段は、前記第２属性として、前記経過判断手段により所定期間が経過したと判断されたときにカラオケ装置において演奏が予約されている楽曲に関するユーザ属性を取得すること、
を特徴とする広告再生装置。
【請求項４】
請求項１に記載の広告再生装置において、
前記記憶手段は、前記広告属性として、第１広告属性及び第２広告属性の異なる２種類を前記広告コンテンツに対応付けて記憶しており、
前記第１作成手段は、前記記憶手段に記憶されている第１広告属性と、前記取得手段により取得されたユーザ属性とが適合することを条件に、前記記憶手段に記憶されている広告コンテンツの中から、前記取得されたユーザ属性と適合する前記第１広告属性と対応付けられた広告コンテンツを抽出して、前記第１再生リストを作成し、
前記第２作成手段は、前記記憶手段に記憶されている第２広告属性と、前記取得手段により取得されたユーザ属性とが適合することを条件に、前記記憶手段に記憶されている広告コンテンツの中から、前記取得されたユーザ属性と適合する前記第２広告属性と対応付けられた広告コンテンツを抽出して、前記第２再生リストを作成すること、
を特徴とする広告再生装置。
【請求項５】
請求項１ないし請求項４の何れか１項に記載の広告再生装置において、
前記経過判断手段は、前記所定期間の経過の判断として、前記再生手段による広告コンテンツの再生回数が規定回数に達したかを判断すること、
を特徴とする広告再生装置。
【請求項６】
請求項１ないし請求項４の何れか１項に記載の広告再生装置において、
前記経過判断手段は、前記所定期間の経過の判断として、前記ログインユーザのログイン状態が継続しているときに経過した時間が規定時間に達したかを判断すること、
を特徴とする広告再生装置。
【請求項７】
所定のサービスにログインするログインユーザの属性を示すユーザ属性を取得する取得ステップと、
広告コンテンツに関する属性を示す広告属性と、前記取得ステップにおいて取得されたユーザ属性とが適合することを条件に、記憶手段に記憶されている広告コンテンツの中から、前記取得されたユーザ属性と適合する前記広告属性と対応付けられた広告コンテンツを抽出して、再生対象となる広告コンテンツを示す第１再生リストを作成する第１作成ステップと、
前記第１作成ステップにおいて作成された第１再生リストに従って、再生対象の広告コンテンツの再生を行う第１再生ステップと、
前記ログインユーザのログイン状態が継続しているかを判断する継続判断ステップと、
前記継続判断ステップにおける判断結果に基づき、前記ログインユーザのログイン状態が継続していると判断されているときに、所定期間が経過したかを判断する経過判断ステップと、
前記記憶手段に記憶されている広告コンテンツの中から、前記第１再生リストの作成に係る広告属性及びユーザ属性とは異なる第２属性に適合する広告コンテンツを抽出して、再生対象となる広告コンテンツを示す第２再生リストを作成する第２作成ステップと、
前記経過判断ステップにおいて、前記ログインユーザのログイン状態が継続しているときに前記所定期間が経過したと判断されたとき、前記第１再生ステップによる前記第１再生リストに基づく広告コンテンツの再生に代えて、前記第２作成ステップにおいて作成された第２再生リストに従って再生対象の広告コンテンツを再生する第２再生ステップと、
をコンピュータに実行させることを特徴とするプログラム。
【発明の詳細な説明】
【技術分野】
【０００１】
本発明は、サービスを利用する利用客に対して広告を提示する広告再生装置に関する。
【背景技術】
【０００２】
従来、例えばカラオケサービスの利用客に対して広告映像を表示することで、利用者に商品やサービスの購買を促すことが行われている。例えば、特許文献１には、時間帯によって客層が異なることに着目し、時間帯別に客層に合った広告を表示する技術が開示されている。
【先行技術文献】
【特許文献】
【０００３】
【特許文献１】特願平１０−２６９９０号公報
【発明の概要】
【発明が解決しようとする課題】
【０００４】
上述の先行技術のように、利用客の年齢、性別、職業等の属性に適合する広告を重点的に表示することで、高い広告効果を得られるとされている。しかしながら、カラオケルームを時間無制限で利用する事例のように、同じ利用客によるサービスの利用が長時間継続する場合、同じ広告を何度も繰り返し表示しているうちに、利用客が広告を見飽きてしまうことがある。このような場合、利用客が広告への興味を失ってしまい、再生回数の増加に伴って向上が想定される広告効果を得られないおそれがある。このような問題は、カラオケサービスに限らず、例えば、理美容等の様々なサービスの利用客に対して広告コンテンツを提示する場合においても共通する。
【０００５】
本発明は、上記問題を解決するためになされたものである。その目的は、サービスを長時間継続して利用する利用客に対して、その利用客に広告コンテンツを見飽きさせない態様にて提示するための技術を提供することである。
【課題を解決するための手段】
【０００６】
上記目的を達成するためになされた本発明の広告再生装置は、記憶手段、取得手段、第１作成手段、再生手段、継続判断手段、経過判断手段、及び第２作成手段を備える。記憶手段は、複数の広告コンテンツと、広告コンテンツに関する属性を示す広告属性とを対応付けて記憶する。取得手段は、所定のサービスにログインするログインユーザの属性を示すユーザ属性を取得する。第１作成手段は、記憶手段に記憶されている広告属性と、取得手段により取得されたユーザ属性とが適合することを条件に、記憶手段に記憶されている広告コンテンツの中から、取得されたユーザ属性と適合する広告属性と対応付けられた広告コンテンツを抽出して、再生対象となる広告コンテンツを示す第１再生リストを作成する。再生手段は、第１作成手段により作成された第１再生リストに従って、再生対象の広告コンテンツの再生を行う。
【０００７】
継続判断手段は、ログインユーザのログイン状態が継続しているかを判断する。経過判断手段は、継続判断手段によりログインユーザのログイン状態が継続していると判断されているときに、所定期間が経過したかを判断する。第２作成手段は、記憶手段に記憶されている広告コンテンツの中から、第１再生リストの作成に係る広告属性及びユーザ属性とは異なる第２属性に適合する広告コンテンツを抽出して、再生対象となる広告コンテンツを示す第２再生リストを作成する。そして、経過判断手段により、ログインユーザのログイン状態が継続しているときに所定期間が経過したと判断されたとき、再生手段は、第１再生リストに代えて第２作成手段により作成された第２再生リストに従って再生対象の広告コンテンツを再生する。
【０００８】
本発明によれば、サービスを長時間継続して利用する利用客が同じ広告を何度も見ているとみなされるとき、従前の再生リストとは異なる属性に基づいて作成した別の再生リストに基づいて、それまでとは異なった広告コンテンツを再生できる。これにより、利用客にとっては、今までに何度も見た広告から別の広告が提示されることで、新鮮さがあり、広告に対する興味を喚起できる。また、広告主にとっては、利用客が興味を失った広告を延々と再生し続けるよりも、別の広告を再生することで利用客の新たな興味を引くことができるので、広告効果の増加が見込める。
【０００９】
なお、本発明をカラオケサービスに適用する場合、所定期間を経過した際に再生を切替える広告コンテンツを決定する方法として、請求項２に記載のようにすることが考えらえる。すなわち、広告再生装置は、第２取得手段を更に備える。第２取得手段は、第２属性として、第１再生リストの作成に係るユーザ属性に該当するログインユーザが、利用するカラオケ装置に対して演奏のリクエストをした楽曲に関するユーザ属性を取得する。そして、第２作成手段は、第２取得手段により取得された楽曲に関するユーザ属性と、記憶手段に記憶されている広告属性とが適合することを条件に、前記記憶手段に記憶されている広告コンテンツの中から、前記取得されたユーザ属性と適合する前記広告属性と対応付けられた広告コンテンツを抽出して、第２再生リストを作成する。このようにすることで、カラオケサービスの利用客による選曲から見出される、利用客の属性に適合した広告コンテンツを第２再生リストの再生対象に決定することができ、利用者を飽きさせないと共に高い広告効果を期待できる。
【００１０】
さらに、請求項３に記載のように、第２属性として、経過判断手段により所定期間が経過したと判断されたときにカラオケ装置において演奏が予約されている楽曲に関するユーザ属性を取得するようにしてもよい。カラオケ装置において演奏される予約曲の属性を用いることで、カラオケサービスの間にリクエストされた楽曲の中でも、特に、利用客の現在の心境や興味の対象に沿った広告コンテンツを第２再生リストの再生対象として決定できる。これにより、利用客に対してより新鮮な感覚を与え、広告に対する興味を喚起することで高い広告効果が得られる。
【００１１】
あるいは、広告コンテンツ側に優先度の異なる２種類の属性を予め定義しておいてもよい。具体的には、請求項４に記載のように、広告属性として、第１広告属性及び第２広告属性の異なる２種類を広告コンテンツに対応付けて記憶手段に記憶しておく。そして、第１作成手段が、記憶手段に記憶されている第１広告属性と、取得手段により取得されたユーザ属性とが適合することを条件に、記憶手段に記憶されている広告コンテンツの中から、取得されたユーザ属性と適合する第１広告属性と対応付けられた広告コンテンツを抽出しての適合条件に従って、第１再生リストを作成する。また、第２作成手段が、記憶手段に記憶されている第２広告属性と、取得手段により取得されたユーザ属性とが適合することを条件に、記憶手段に記憶されている広告コンテンツの中から、取得されたユーザ属性と適合する第２広告属性と対応付けられた広告コンテンツを抽出して、第２再生リストを作成する。このように、広告コンテンツに対して複数種類の広告ターゲットを予め対応付けておくことで、サービスを長時間継続して利用している利用客に対して、従前に再生されてきた広告とは異なる多様な広告を提示できる。
【００１２】
サービスの利用が継続している利用客に対して、どのようなタイミングで再生対象の広告コンテンツを切替えるかを判断する方法として、請求項５に記載のようにすることが考えられる。すなわち、経過判断手段は、所定期間の経過の判断として、再生手段による広告コンテンツの再生回数が規定回数に達したかを判断する。広告コンテンツの再生回数を期間経過の判断基準とする方法は、同じ広告を繰返して見る場合に何回で利用客が飽きるのかを考慮したものである。よって、適切な再生回数で再生対象を別の広告コンテンツに切替えることで、再び利用客の興味を引くことができる。
【００１３】
あるいは、再生対象の広告コンテンツを切替えるタイミングを判断する方法として、請求項６に記載のようにしてもよい。すなわち、経過判断手段は、所定期間の経過の判断として、ログインユーザのログイン状態が継続しているときに経過した時間が規定時間に達したかを判断する。経過時間を再生対象の切替えタイミングの判断基準とする方法は、同じ広告を繰返して再生した場合、どの程度の時間で広告効果が低下するかを考慮したものである。よって、適切な経過時間で再生対象を別の広告コンテンツに切替えることで、再び広告効果を上げることができる。
【００１４】
なお、本発明は、請求項７に記載のように、コンピュータにおいて実行されるプログラム、あるいは当該プログラムを記憶する記憶媒体の態様で実現することもできる。
【図面の簡単な説明】
【００１５】
【図１】カラオケシステムの概略構成を示すブロック図。
【図２】広告コンテンツ再生方法の第１実施形態を示す説明図。
【図３】第１実施形態の処理の手順を示すフローチャート。
【図４】広告コンテンツ再生方法の第２実施形態を示す説明図。
【図５】第２実施形態の処理の手順を示すフローチャート。
【発明を実施するための形態】
【００１６】
以下、本発明の一実施形態を図面に基づいて説明する。なお、本発明は下記の実施形態に限定されるものではなく様々な態様にて実施することが可能である。
［カラオケシステムの構成の説明］
実施形態のカラオケシステムは、図１に示すように、カラオケ店舗の各カラオケルーム内に配置された広告再生装置１、カラオケ装置２、及びリモコン端末３と、広域ネットワークに接続されたセンタサーバ４と、各カラオケ店舗に配置されたＰＯＳ端末５とを備える。なお、図１では、カラオケ店舗内に複数設けられたカラオケルームのうちの１室を例に挙げたものである。
【００１７】
広告再生装置１及びカラオケ装置２は、カラオケ店舗内のＬＡＮに設けられたブロードバンドルータＢＲを中継して広域ネットワークに接続する。また、リモコン端末３は、無線ＬＡＮのインフラストラクチャモードにより無線ＬＡＮアクセスポイントＡＰを中継して、カラオケ店舗内のＬＡＮにネットワーク接続し、更にブロードバンドルータＢＲを中継して広域ネットワークに接続する。
【００１８】
カラオケ店舗内のカラオケルームには、広告再生装置１、カラオケ装置２、リモコン端末３、メインディスプレイ２１、サブディスプレイ１５が設置されている。メインディスプレイ２１は、カラオケ装置２に接続されている。メインディスプレイ２１には、カラオケ装置２から出力されるカラオケサービス用の映像が表示される。一方、サブディスプレイ１５は、広告再生装置１に接続されている。サブディスプレイ１５には、カラオケルーム内でカラオケ装置２を利用する利用客に向けた広告コンテンツの映像が表示される。
【００１９】
広告再生装置１は、センタサーバ４から配信された広告コンテンツの映像を再生する業務用の情報処理装置であり、例えばパソコン等のコンピュータ装置によって具現化される。広告再生装置１は、ハードウェア構成として制御部１０、記憶部１１、通信部１２、映像制御部１３等を備える。制御部１０は、ＣＰＵ、ＲＯＭ、ＲＡＭ、Ｉ／Ｏ等を中心に構成された情報処理デバイスであり、広告コンテンツの再生に関する処理を実行する。
【００２０】
記憶部１１は、ハードディスクドライブや不揮発性半導体メモリ等で構成された記憶装置である。記憶部１１には、その一部としてプログラム記憶領域、広告コンテンツ記憶領域、属性情報記憶領域が設けられている。広告コンテンツ記憶領域には、センタサーバ４から配信された広告コンテンツが格納されている。属性情報記憶領域には、各広告コンテンツのマーケティング上の標的（ターゲット）となる利用客層を示す広告属性のリストが格納されている。通信部１２は、カラオケ店舗内のＬＡＮに接続して、カラオケ装置２やセンタサーバ４、ＰＯＳ端末５と通信を行うための通信インタフェースである。
【００２１】
広告再生装置１は、保有している広告コンテンツの中から、同じカラオケルーム内のカラオケ装置２を利用している利用客の属性に適合する広告コンテンツを選んで再生する（詳細は後述する）。再生された広告コンテンツの映像は、サブディスプレイ１５に表示される。サブディスプレイ１５は、例えば液晶パネルディスプレイ（ＬＣＤ）によって具現化される。
【００２２】
カラオケ装置２は、ネットワークを通じて配信されたカラオケ曲に基づくカラオケ演奏を行い、利用客にカラオケサービスを提供する業務用の装置である。カラオケ装置２は、店舗内ＬＡＮや広域ネットワークを介して、リモコン端末３や広告再生装置１、センタサーバ４との間でデータ通信可能に構成されている。カラオケ装置２は、利用客からリクエストされた曲の伴奏音楽を演奏するのに併せて、背景映像や曲の歌詞テロップをメインディスプレイ２１に表示させる。また、カラオケ装置２は、本システムのアカウントを有する利用客が所定の手続きを経てログインすることにより、センタサーバ４からそのログインユーザのアカウント情報を取得し、演奏する曲のリクエスト（予約）や演奏を、個々のログインユーザの識別情報に対応付けて行う。なお、カラオケ装置２のその他の機能や構成については公知技術に従っているので、ここでの詳細な説明は省略する。
【００２３】
リモコン端末３は、カラオケルーム内でカラオケ装置２を遠隔操作するための通信端末装置である。リモコン端末３は、本システムのアカウントを有する利用客からの所定のログイン操作を受付ける。ログイン操作を受付けると、リモコン端末３は、操作対象のカラオケ装置２にログイン要求を送信し、カラオケ装置２からログインの成否の結果を受信する。利用客のログインが成立すると、リモコン端末３は、ログインユーザが再生を希望する曲の予約を行うためのリクエスト操作を、当該ログインユーザの識別情報に対応付けて受付ける。そして、リクエスト曲の楽曲番号及びリクエストした利用客の識別情報（ユーザ名）を含む演奏リクエスト情報を、無線ＬＡＮ通信や赤外線通信によって操作対象のカラオケ装置２に送信する。
【００２４】
センタサーバ４は、カラオケ店舗内の各広告再生装置１に広告コンテンツのデータを配信するサービスを含む、各種カラオケサービスを提供するサーバ装置である。このセンタサーバ４は、適宜な処理能力を有する情報処理装置等で構成されており、広告再生装置１に提供可能な広告コンテンツをデータベースに多数保有している。広告コンテンツは、カラオケサービスの利用客に対して様々な商品やサービスを宣伝するための映像情報である。また、センタサーバ４のデータベースには、各広告コンテンツのターゲットとなる利用客層の属性（性別、年齢等）を示す広告属性が、各広告コンテンツに対応付けて記憶されている。
【００２５】
また、センタサーバ４は、本システムのアカウントを有する個々の利用客ごとに、利用客の識別情報や、ログイン認証のための情報、利用客の属するセグメントを特定するための属性情報（ユーザ属性）をアカウント情報としてデータベースに保存している。ユーザ属性には、例えば性別や年齢等の情報が含まれる。また、センタサーバ４は、カラオケ装置２において演奏される楽曲のターゲットとなる利用客層の属性（性別、年齢等）を示す情報を、楽曲ごとに紐付いたユーザ属性としてデータベースに保存している。
【００２６】
ＰＯＳ端末５は、販売時点管理システム（ＰＯＳシステム：Point Of Sale system）を構成し、カラオケサービスの利用客に対する会計処理やサービスの販売管理を行う会計処理端末である。ＰＯＳ端末５は、専用のレジスタ装置やパソコン等の情報処理装置により具現化される。ＰＯＳ端末５は、利用客に対する会計処理のときに入力された、各カラオケ装置２の利用状況に関する情報を含む利用情報を、カラオケ店舗内のＬＡＮを介して広告再生装置１に送信できるようになっている。この利用情報は、各カラオケルームに利用客が入退室した時刻等の情報が含まれる。
【００２７】
［第１実施形態］
広告再生装置１によるによる広告コンテンツの再生方法の第１実施形態について、図２を参照しながら説明する。
【００２８】
図２（ａ）に例示されるとおり、まず、カラオケルームに利用客が入出すると、利用客によりカラオケ装置２に対してログイン手続きや、演奏曲のリクエストが行われる（Ｓ１）。これに対応して、広告再生装置１は、同じカラオケルーム内のカラオケ装置２の利用客のログイン情報に紐付いたユーザ情報、あるいは利用客からリクエストされた楽曲に紐付いたユーザ情報を特定する（Ｓ２）。
【００２９】
そして、広告再生装置１は、保有している広告コンテンツの中から、Ｓ２で特定したユーザ属性で示される性別や年齢と合致する広告属性を持つ広告コンテンツを抽出し、再生対象の広告コンテンツの一覧である第１再生リストを作成する（Ｓ３）。その結果、第１再生リストで示される広告コンテンツが順次再生される。広告コンテンツの再生が一巡した場合には、第１再生リストに基づく再生が繰返し行われる。
【００３０】
図２（ｂ）に例示されるように、広告再生装置１が保有する広告コンテンツには、それぞれ対象性別や対象年齢といった、広告のターゲットとなる利用客層を示す広告属性が対応付けられている。そして、図２（ａ）の事例では、ユーザ属性として、性別：男性、年齢：１０代・２０代という属性が特定されている。そのため、第１再生リストには、このユーザ属性と合致する広告属性（男性、１０代・２０代）を持つ広告コンテンツが再生対象に選択される。再生対象として選択する広告コンテンツの数量については、予め決められた数量としてもよいし、選択した広告コンテンツの再生時間の合計が規定時間となるような数量としてもよい。
【００３１】
一方、利用客によるカラオケ装置２の利用が継続している条件下において、広告コンテンツの再生リスト変更条件が成立したと想定する（Ｓ５）。具体的には、広告コンテンツの再生回数に基づいて、再生リスト変更条件の成否を判断することが挙げられる。例えば、同一の再生リストによる広告コンテンツ群の再生が５回ループした場合に、再生リスト変更条件が成立したと判断する。
【００３２】
あるいは、利用客によるカラオケサービスの利用が継続している条件下における経過時間に基づいて、再生リスト変更条件の成否を判断してもよい。例えば、利用客がカラオケサービスの利用を開始してからの経過時間や、広告コンテンツの再生を開始してからの経過時間が３時間に達した場合に、再生リスト変更条件が成立したと判断する。なお、利用客がカラオケサービスの利用を開始した時刻については、カラオケ装置２に利用客がログインした時刻や、最初に演奏のリクエストをした時刻、あるいは、ＰＯＳ端末５に入力された入室時刻等により特定できる。
【００３３】
このとき、広告再生装置１は、カラオケ装置２において現時点で演奏が予約されている再生前の楽曲に関する予約曲情報を取得する（Ｓ６）。あるいは、再生前の予約曲に限らず、予約された楽曲で直近に演奏が行われた楽曲に関する予約曲情報を取得してもよい。広告再生装置１は、Ｓ６で取得した予約曲情報で示される楽曲に紐付いたユーザ情報を特定する（Ｓ７）。そして、広告再生装置１は、保有している広告コンテンツの中から、Ｓ７で特定した予約曲に関するユーザ属性で示される性別や年齢と合致する広告属性を持つ広告コンテンツを抽出し、再生対象の広告コンテンツの一覧である第２再生リストを作成する（Ｓ８）。
【００３４】
その結果、再生対象が第１再生リストから第２再生リストに切替えられ、それ以降は、第２再生リストで示される広告コンテンツが順次再生される。図２（ａ）の事例では、予約曲に関するユーザ属性として、性別：男性、年齢：３０代・４０代という属性が特定されている。そのため、第２再生リストには、このユーザ属性と合致する広告属性（男性、３０代・４０代）を持つ広告コンテンツが再生対象に選択される。
【００３５】
［第１実施形態における処理手順の説明］
広告再生装置１の制御部１０が実行する、第１実施形態の処理の手順について、図３を参照しながら説明する。この処理は、広告再生装置１のシステム稼働中において繰返し実行される。
【００３６】
Ｓ１００では、制御部１０は、センタサーバ４から広告コンテンツ及び広告属性のデータを取得する。具体的には、制御部１０が通信部１２を介して、広告コンテンツの取得要求をセンタサーバ４に送信する。これに対応してセンタサーバ４は、最新の広告コンテンツのデータと、それらの広告コンテンツに対応する広告属性のデータとを、要求元の広告再生装置１に配信する。制御部１０は、通信部１２を介してセンタサーバ４から受信した広告コンテンツ及び広告属性のデータを記憶部１１の広告コンテンツ記憶領域及び属性情報記憶領域に保存する。
【００３７】
Ｓ１０２では、制御部１０は、再生対象の広告コンテンツ及びその再生順を示すデフォルトの再生リストに従って、広告コンテンツ記憶領域に保有している広告コンテンツの再生を開始する。この再生リストに基づく広告コンテンツの再生は、次の再生リストに基づく再生が開始されるまでの間、ループして行われる。Ｓ１０４では、制御部１０は、同じカラオケルーム内に設置されているカラオケ装置２から、通信部１２を介して、ログインしている利用客に関するログイン情報、及び利用客からのリクエストによる演奏の予約状況に関する予約曲情報を取得する。ログイン情報には、ログイン中の利用客のアカウントに関する情報（識別情報、ユーザ属性等）が含まれる。
【００３８】
Ｓ１０６では、制御部１０は、Ｓ１０４で取得したログイン情報に基づき、カラオケ装置２に現在ログイン中の利用客が存在するか否かを判定する。ログイン中の利用客が存在する場合（Ｓ１０６：ＹＥＳ）、制御部１０はＳ１０８に進む。一方、ログイン中の利用客が存在しない場合（Ｓ１０６：ＮＯ）、制御部１０はＳ１１０に進む。
【００３９】
ログイン中の利用客が存在する場合に進むＳ１０８では、制御部１０は、Ｓ１０４で取得したログイン情報に紐付いたユーザ属性（例えば、性別や年齢）を取得する。一方、ログイン中の利用客が存在しない場合に進むＳ１１０では、制御部１０は、Ｓ１０４で取得した予約曲情報に基づき、利用客のリクエストにより演奏が予約されている楽曲が存在するか否かを判定する。予約曲が存在する場合（Ｓ１１０：ＹＥＳ）、制御部１０はＳ１１２に進む。一方、予約曲が存在しない場合（Ｓ１１０：ＮＯ）、制御部１０はＳ１０４に戻る。
【００４０】
予約曲が存在する場合に進むＳ１１２では、制御部１０は、その予約曲に紐付いたユーザ属性（例えば、性別や年齢）をセンタサーバ４から取得する。具体的には、制御部１０が、通信部１２を介して、予約曲に関するユーザ属性の取得要求をセンタサーバ４に送信する。これに対応してセンタサーバ４は、取得要求に該当する楽曲に紐付いたユーザ属性をデータベースから抽出し、要求元の広告再生装置１に配信する。
【００４１】
次のＳ１１４では、制御部１０は、Ｓ１０８又はＳ１１２で取得したユーザ属性と合致する広告属性を持つ広告コンテンツを抽出し、それらを一覧にまとめた第１再生リストを作成する。この第１再生リストには、再生対象の広告コンテンツ群と、その再生順とが定義されている。そして、Ｓ１１６では、制御部１０は、Ｓ１１４で作成した第１再生リストに従って、再生対象の広告コンテンツの再生を開始し、開始時刻を記録する。第１再生リストに基づく広告コンテンツの再生は、処理に従って作成される第１再生リストとは異なる再生リストに基づく再生が開始されるまでの間、ループして行われる。
【００４２】
Ｓ１１８では、制御部１０は、所定期間が経過したか否かを判定する。ここでは、所定期間が経過したことを条件に、再生リスト変更条件が成立したと判断する。具体的には、広告コンテンツの再生回数に基づいて、再生リスト変更条件の成否を判断することが挙げられる。例えば、現在の再生リストにより実行されている再生のループ回数をカウントしておき、ループ回数が規定数に到達したことを条件に、所定期間が経過したと判断するように構成することが考えられる。また、現在の利用客がカラオケサービスの利用を開始してからの経過時間、あるいは、現在の再生リストによる再生を開始してからの経過時間が規定時間に到達したことを条件に、所定期間が経過したと判断するように構成してもよい。所定期間が経過した場合（Ｓ１１８：ＹＥＳ）、制御部１０はＳ１２０に進む。一方、所定期間が経過していない場合（Ｓ１１８：ＮＯ）、制御部１０はＳ１２８に進む。
【００４３】
所定期間が経過した場合に進むＳ１２０では、制御部１０は、カラオケ装置２から演奏の予約状況に関する予約曲情報を取得する。次のＳ１２２では、制御部１０は、Ｓ１２０で取得した予約曲情報で示される、今現在演奏が予約されている再生前の予約曲に紐付いたユーザ属性（例えば、性別や年齢）をセンタサーバ４から取得する。あるいは、再生前の予約曲に限らず、予約された楽曲で直近に演奏が行われた楽曲に紐付いたユーザ属性を取得してもよい。予約曲に紐付いたユーザ属性の具体的な取得方法については、Ｓ１１２で説明したものと同様である。
【００４４】
そして、Ｓ１２４では、制御部１０は、Ｓ１２２で取得した予約曲に関するユーザ属性と合致する広告属性を持つ広告コンテンツを抽出し、それらを一覧にまとめた第２再生リストを作成する。この第２再生リストには、再生対象の広告コンテンツ群と、その再生順とが定義されている。そして、Ｓ１２６では、制御部１０は、Ｓ１２４で作成した第２再生リストに従って、再生対象の広告コンテンツの再生を開始する。第２再生リストに基づく広告コンテンツの再生は、次の再生リストに基づく再生が開始されるまでの間、ループして行われる。
【００４５】
Ｓ１２８では、制御部１０は、カラオケルームから利用客が退出したか否かを判定する。具体的には、カラオケ装置２に対してログイン状況を問合せ、利用客がログアウトしたかどうかで、利用客が退出したかを判断することが考えられる。あるいは、カラオケ装置２に対して作動状況を問合せ、カラオケ装置２において楽曲の演奏や演奏のリクエストが一定時間以上行われていないかどうかで、利用客が退出したかを判断してもよい。あるいは、ＰＯＳ端末５から、カラオケルームの利用者の入退出に関する管理情報を取得し、利用客が退出したかを判断してもよい。利用客が退出した場合（Ｓ１２８：ＹＥＳ）、制御部１０はＳ１０２に戻る。一方、利用客が退出していない場合（Ｓ１２８：ＮＯ）、制御部１０はＳ１３０に進む。利用客が退出していないことを判断する（Ｓ１２８：ＮＯ）ことにより、利用客によるサービスの利用が継続していると判断される。
【００４６】
利用客が退出していない場合に進むＳ１３０では、制御部１０は、システムの動作を終了するか否かを判定する。システムを終了しない場合（Ｓ１３０：ＮＯ）、制御部１０はＳ１１８に戻る。一方、システムを終了する場合（Ｓ１３０：ＹＥＳ）、制御部１０は本処理を終了する。
【００４７】
［第２実施形態］
広告再生装置１によるによる広告コンテンツの再生方法の第２実施形態について、図４を参照しながら説明する。
【００４８】
図４（ａ）に例示されるとおり、まず、カラオケルームに利用客が入出すると、利用客によりカラオケ装置２に対してログイン手続きや、演奏曲のリクエストが行われる（Ｓ１）。これに対応して、広告再生装置１は、同じカラオケルーム内のカラオケ装置２の利用客のログイン情報に紐付いたユーザ情報、あるいは利用客からリクエストされた楽曲に紐付いたユーザ情報を特定する（Ｓ２）。
【００４９】
そして、広告再生装置１は、保有している広告コンテンツの中から、Ｓ２で特定したユーザ属性で示される性別や年齢と合致する第１広告属性を持つ広告コンテンツを抽出し、再生対象の広告コンテンツの一覧である第１再生リストを作成する（Ｓ３）。その結果、第１再生リストで示される広告コンテンツが順次再生される。広告コンテンツの再生が一巡した場合には、第１再生リストに基づく再生が繰返し行われる。
【００５０】
図４（ｂ）に例示されるように、広告再生装置１が保有する広告コンテンツには、それぞれ対象性別や対象年齢といった広告のターゲットとなる利用客層として、優先度の異なる２種類の広告属性である第１広告属性及び第２広告属性が対応付けられている。第１広告属性及び第２広告属性には、それぞれ広告の対象性別及び対象年齢を示す情報が含まれている。
【００５１】
第１再生リストの作成には、２種類の広告属性のうち第１広告属性の方が用いられる。図４（ａ）の事例では、ユーザ属性として、性別：男性、年齢：１０代・２０代という属性が特定されている。そのため、第１再生リストには、このユーザ属性と合致する第１広告属性（男性、１０代・２０代）を持つ広告コンテンツが再生対象に選択される。再生対象として選択する広告コンテンツの数量については、予め決められた数量としてもよいし、選択した広告コンテンツの再生時間の合計が規定時間となるような数量としてもよい。
【００５２】
一方、利用客によるカラオケ装置２の利用が継続している条件下において、広告コンテンツの再生リスト変更条件が成立したと想定する（Ｓ５）。再生リストの変更条件の成否の判断方法については、上述の第１実施形態と同様である。
【００５３】
このとき、広告再生装置１は、保有している広告コンテンツに紐付いた第２広告属性を検索する（Ｓ６）。そして、広告再生装置１は、保有している広告コンテンツの中から、Ｓ２で特定したユーザ属性で示される性別や年齢と合致する第２広告属性を持つ広告コンテンツを抽出し、再生対象の広告コンテンツの一覧である第２再生リストを作成する（Ｓ７）。
【００５４】
その結果、再生対象が第１再生リストから第２再生リストに切替えられ、それ以降は、第２再生リストで示される広告コンテンツが順次再生される。図４（ａ）の事例では、ユーザ属性として、性別：男性、年齢：１０代・２０代という属性が特定されている。そのため、第２再生リストには、このユーザ属性と合致する第２広告属性（男性、１０代・２０代）を持つ広告コンテンツが再生対象に選択される。
【００５５】
［第２実施形態における処理手順の説明］
広告再生装置１の制御部１０が実行する、第２実施形態の処理の手順について、図５を参照しながら説明する。この処理は、広告再生装置１のシステム稼働中において繰返し実行される。
【００５６】
Ｓ２００〜Ｓ２１２の処理は、上述の第１実施形態（図３参照）のＳ１００〜Ｓ１１２と同様であるので、ここでの説明は省略する。ただし、Ｓ２００で取得する広告属性には、第１広告属性と第２広告との２種類が含まれる点で第１実施形態と相違する。
【００５７】
Ｓ２１４では、制御部１０は、Ｓ２０８又はＳ２１２で取得したユーザ属性と合致する第１広告属性を持つ広告コンテンツを抽出し、それらを一覧にまとめた第１再生リストを作成する。この第１再生リストには、再生対象の広告コンテンツ群と、その再生順とが定義されている。そして、Ｓ２１６では、制御部１０は、Ｓ２１４で作成した第１再生リストに従って、再生対象の広告コンテンツの再生を開始し、開始時刻を記録する。第１再生リストに基づく広告コンテンツの再生は、次の再生リストに基づく再生が開始されるまでの間、ループして行われる。
【００５８】
Ｓ２１８では、制御部１０は、所定期間が経過したか否かを判定する。ここでは、所定期間が経過したことを条件に、再生リスト変更条件が成立したと判断する。具体的な判断方法については、上述の第１実施形態と同様である。所定期間が経過した場合（Ｓ２１８：ＹＥＳ）、制御部１０はＳ２２２に進む。一方、所定期間が経過していない場合（Ｓ２１８：ＮＯ）、制御部１０はＳ２２０に進む。
【００５９】
所定期間が経過していない場合に進むＳ２２０では、制御部１０は、カラオケルームから利用客が退出したか否かを判定する。退出の具体的な判断方法については、上述の第１実施形態と同様である。利用客が退出した場合（Ｓ２２０：ＹＥＳ）、制御部１０はＳ２０２に戻る。一方、利用客が退出していない場合（Ｓ２２０：ＮＯ）、制御部１０はＳ２１８に戻る。
【００６０】
一方、所定期間が経過した場合に進むＳ２２２では、制御部１０は、Ｓ２０８又はＳ２１２で取得したユーザ属性と合致する第２広告属性を持つ広告コンテンツを抽出し、それらを一覧にまとめた第２再生リストを作成する。この第２再生リストには、再生対象の広告コンテンツ群と、その再生順とが定義されている。そして、Ｓ２２４では、制御部１０は、Ｓ２２２で作成した第２再生リストに従って、再生対象の広告コンテンツの再生を開始する。第２再生リストに基づく広告コンテンツの再生は、現在の利用客が退出するかシステムが終了するまで間、ループして行われる。
【００６１】
Ｓ２２６では、制御部１０は、カラオケルームから利用客が退出したか否かを判定する。退出の具体的な判断方法については、上述の第１実施形態と同様である。利用客が退出した場合（Ｓ２２６：ＹＥＳ）、制御部１０はＳ２０２に戻る。一方、利用客が退出していない場合（Ｓ２２６：ＮＯ）、制御部１０はＳ２２８に進む。
【００６２】
利用客が退出していない場合に進むＳ２２８では、制御部１０は、システムの動作を終了するか否かを判定する。システムを終了しない場合（Ｓ２２８：ＮＯ）、制御部１０はＳ２２６に戻る。一方、システムを終了する場合（Ｓ２２８：ＹＥＳ）、制御部１０は本処理を終了する。
【００６３】
［変形例］
上述の第２実施形態（図４参照）では、各広告コンテンツに第１広告属性及び第２広告属性の２種類が紐付けされている事例について説明した。これに限らず、更に第３広告属性以降の広告属性を設定する構成であってもよい。その場合、広告再生装置１は、同じ利用客によるカラオケサービスの利用が継続している条件下で所定期間が経過する度に、第１広告属性、第２広告属性、第３広告属性…と複数種類の広告属性ごとに作成した再生リストに順次切り替えて広告コンテンツを再生する。
【００６４】
あるいは、上述の第２実施形態（図４参照）において、第２再生リストに基づいて広告コンテンツを再生しているときに、更に所定期間が経過した場合、再び第１再生リストに戻って広告コンテンツの再生を行うように構成してもよい。また、第２実施形態において、所定期間が経過したことを条件に第２再生リストに従って広告コンテンツを再生する構成であれば、所定期間が経過する前に第２再生リストを作成するように構成してもよい。
【００６５】
第１実施形態（図３参照）におけるＳ１０８の処理、及び第２実施形態（図５参照）におけるＳ２０８の処理では、ユーザのログイン情報に紐付いたユーザ属性を取得する構成となっている。しかし、再生対象の広告コンテンツを選ぶ基準として用いるユーザ属性は、ユーザのログイン情報に紐付いたユーザ属性、又は予約曲に紐付いたユーザ属性に限らない。例えば、カラオケ店舗の入店時に店員によりＰＯＳ端末５に入力された利用客の属性情報が、利用するカラオケルームに紐付けてＰＯＳシステムに登録されることがある。この場合、ＰＯＳシステムに登録されている利用客の属性情報を、広告再生端末１が取得して、再生対象の広告コンテンツを選ぶためのユーザ属性として用いてもよい。
【００６６】
上述の実施形態では、本発明をカラオケサービスに適用した事例について説明した。これとは別に、理美容等の様々なサービスの利用客に対して広告コンテンツを提示する場合にも本発明を適用可能である。具体的には、お店の会員登録情報等からユーザ属性を特定し、そのユーザ属性に適合する広告コンテンツを再生する。そして、所定期間ごとに、前回と異なるユーザ属性や広告属性を用いて、再生する広告コンテンツの内容を刷新するといった運用が考えられる。
【００６７】
［効果］
実施形態の広告再生装置１によれば、以下の効果を奏する。
カラオケサービスを利用中の利用客が同じ広告を何度も見ているとみなされるとき、第１再生リストとは異なるユーザ属性や広告属性に基づいて作成した第２再生リストに基づいて、それまでとは異なった広告コンテンツを再生できる。これにより、広告に対する利用客の興味を喚起できると共に、広告主にとっては広告効果の増加が見込める。
【００６８】
第１実施形態では、再生リスト変更条件が成立したときに、今現在の予約曲に紐付いたユーザ属性を用いて第２再生リストを作成できる。利用客による選曲から見出される、利用客の現在の心境や興味の対象に沿った広告コンテンツを再生対象として決定できる。これにより、利用客に対してより新鮮な感覚を与え、広告に対する興味を喚起することができる。
【００６９】
第２実施形態では、広告コンテンツに予め定義されている第２広告属性を用いて、第２再生リストを作成できる。このように、広告コンテンツに対して複数種類の広告ターゲットを広告属性として予め対応付けておくことで、カラオケサービスを長時間継続して利用している利用客に対して多様な広告を提示できる。
【００７０】
［特許請求の範囲に記載の構成との対応］
実施形態に記載の構成と、特許請求の範囲に記載の構成との対応は次のとおりである。
記憶部１１が記憶手段に相当する。制御部１０及び通信部１２が、取得手段及び第２取得手段に相当する。制御部１０が、第１作成手段、再生手段、継続判断手段、経過判断手段、及び、第２作成手段に相当する。
【符号の説明】
【００７１】
１…広告再生装置、１０…制御部、１１…記憶部、１２…通信部、１３…映像制御部、１５…サブディスプレイ、２…カラオケ装置、２１…メインディスプレイ、３…リモコン端末、４…センタサーバ、ＢＲ…ブロードバンドルータ、ＡＰ…無線ＬＡＮアクセスポイント。
【図１】
2014191191.tif 000003
【図２】
2014191191.tif 000004
【図３】
2014191191.tif 000005
【図４】
2014191191.tif 000006
【図５】
2014191191.tif 000007